(57)【要約】【課題】  ダイヤルリングを圧入する必要がなく、かつ、ダイヤルリングと文字板との位置合わせが容易な時計を提供する。【解決手段】  時計ケース１３内に、文字板１４と、文字板１４の外縁に配置されるダイヤルリング１５とを備える時計１０において、ダイヤルリング１５が文字板１４と係合する突起１５Ｅを備え、このダイヤルリング１５が時計ケース１３に遊嵌され、この遊嵌状態で、文字板１４が突起１５Ｅに係合されると、文字板１４とダイヤルリング１５とが位置合わせされるようにした。【選択図】      図２
2006275562.tif 000002
【特許請求の範囲】
【請求項１】
時計ケース内に、文字板と、文字板の外縁に配置されるダイヤルリングとを備える時計において、
前記ダイヤルリングが前記文字板と係合する係合部を備え、このダイヤルリングが前記時計ケースに遊嵌され、この遊嵌状態で、前記文字板が前記係合部に係合されて前記文字板と前記ダイヤルリングとが位置合わせされていることを特徴とする時計。
【請求項２】
前記時計ケースは、前記ダイヤルリングを回転自在に支持するダイヤルリング支持部を備え、このダイヤルリング支持部を挟んで、前記ダイヤルリングと前記文字板とが配置されていることを特徴とする請求項１に記載の時計。
【請求項３】
前記時計ケースには、透明カバーが取り付けられ、前記ダイヤルリングは、前記透明カバーと前記ダイヤルリング支持部との間に配置されることを特徴とする請求項２に記載の時計。
【請求項４】
前記ダイヤルリングの外周部と、前記時計ケースの内周壁との間の間隙に、前記ダイヤルリングの縁部上方を覆う縁部隠しリングを配置したことを特徴とする請求項１乃至３のいずれかに記載の時計。
【請求項５】
前記ダイヤルリングは、前記係合部を等角度間隔で備えることを特徴とする請求項１乃至４のいずれかに記載の時計。
【発明の詳細な説明】
【技術分野】
【０００１】
本発明は、時計ケース内に文字板とダイヤルリングとを備える時計に関する。
【背景技術】
【０００２】
従来より、時計ケース内に文字板とダイヤルリングとを備える時計が知られている。この種の時計では、時計ケースの裏側から、ダイヤルリングが圧入固定され、圧入固定されたダイヤルリングの裏側に文字板やムーブメントが順に組み込まれて構成されている（例えば、特許文献１）。この種のダイヤルリングは、目盛り等の装飾を施すため、時計ケースや文字板に正確に位置合わせする必要がある。
【特許文献１】特開平９−２１８２７６号公報
【発明の開示】
【発明が解決しようとする課題】
【０００３】
しかし、従来の構成では、ダイヤルリングを時計ケースに圧入固定するため、ダイヤルリングと時計ケースとの位置合わせ作業に熟練を要していた。また、ダイヤルリングと文字板との位置合わせも目視で行うため、この位置合わせ作業にも熟練を要していた。
【０００４】
本発明は、上述した事情に鑑みてなされたものであり、ダイヤルリングを圧入する必要がなく、かつ、ダイヤルリングと文字板との位置合わせが容易な時計を提供することにある。
【課題を解決するための手段】
【０００５】
上述課題を解決するため、本発明は、時計ケース内に、文字板と、文字板の外縁に配置されるダイヤルリングとを備える時計において、前記ダイヤルリングが前記文字板と係合する係合部を備え、このダイヤルリングが前記時計ケースに遊嵌され、この遊嵌状態で、前記文字板が前記係合部に係合されて前記文字板と前記ダイヤルリングとが位置合わせされていることを特徴とする。この構成によれば、ダイヤルリングが時計ケースに遊嵌され、この遊嵌状態で、文字板がダイヤルリングに係合されてダイヤルリングと位置合わせされるので、ダイヤルリングを圧入する必要がなく、かつ、ダイヤルリングと文字板との位置合わせも容易となる。
【０００６】
上記構成において、前記時計ケースは、前記ダイヤルリングを回転自在に支持するダイヤルリング支持部を備え、このダイヤルリング支持部を挟んで、前記ダイヤルリングと前記文字板とを配置してもよく、この場合、前記時計ケースに透明カバーを取り付け、前記ダイヤルリングを、前記透明カバーと前記ダイヤルリング支持部との間に配置してもよい。
また、上記構成において、前記ダイヤルリングの外周部と、前記時計ケースの内周壁との間の間隙に、前記ダイヤルリングの縁部上方を覆う縁部隠しリングを配置してもよい。この構成によれば、縁部隠しリングによって、ダイヤルリングと時計ケースとの間の間隙が目隠しされ、腕時計の外観を損ねることがない。また、前記ダイヤルリングは、前記係合部を等角度間隔で備えることが好ましい。
【発明の効果】
【０００７】
本発明は、ダイヤルリングが文字板と係合する係合部を備え、このダイヤルリングが時計ケースに遊嵌され、この遊嵌状態で、文字板が係合部に係合されて文字板とダイヤルリングとが位置合わせされるので、ダイヤルリングを圧入する必要がなく、かつ、ダイヤルリングと文字板との位置合わせも容易となる。
【発明を実施するための最良の形態】
【０００８】
以下、図面を参照して本発明の実施形態を詳述する。
図１は、本発明の実施形態に係る腕時計１０の外観を示す図であり、図２は、腕時計１０のII−II断面図である。この腕時計１０は、装置本体１１と、装置本体１１に連結された時計バンド１２とを備えて構成されている。装置本体１１は、時計ケース１３を備え、この時計ケース１３は、真鍮、ステンレス等の金属材又は樹脂材で形成され、その内部に、文字板１４、ダイヤルリング１５及びムーブメント１６（図２参照）等が配置されている。
【０００９】
また、時計ケース１３の表側には、図２に示すように、ガラス製又は樹脂製の透明カバー１７が配置され、この透明カバー１７を介してダイヤルリング１５及び文字板１４が視認可能に構成されると共に、裏側には裏蓋１８が取り付けられる。上記透明カバー１７は、樹脂製又は金属製の圧入リング１７Ａを介して時計ケース１３に圧入固定され、また、裏蓋１８と時計ケース１３との間にはパッキン１９が配置され、これらによって、時計ケース１３内の密封性や防水性が確保されている。
【００１０】
ムーブメント１６は、図２に示すように、筒車から延出する時針取付体２０、二番車から延出する分針取付体２１、及び、四番車から延出する秒針取付体２２が、文字板１４の中央に形成された貫通孔１４Ａを貫通し、当該文字板１４の上方に延出する。各針取付体２０〜２３には、それぞれ時針２３、分針２４、秒針２５が取り付けられ、これら時刻表示針２３〜２５によって時刻が表示される。また、このムーブメント１６は、文字板１４の６時側に形成された貫通孔１４Ｂを貫通する針取付体２０Ａ、２１Ａを有し、各針取付体２６、２７には、時針２３Ａ、分針２４Ａが取り付けられ、これらによっても時刻が表示されている。
【００１１】
このムーブメント１６には、水晶振動子を時間調速に用いてステッピングモータ等により上記時刻表示針２３〜２７を回転駆動するクオーツ式、或いは、ゼンマイを巻き上げてそのゼンマイに蓄えられた力により上記時刻表示針２３〜２７を回転駆動する機械式等が適用され、また、暦（年、月、日等）を表示する暦表示機構を備えたものでもよい。
【００１２】
また、この腕時計１０には、図１に示すように、時計ケース１３の３時位置に竜頭３０が設けられ、この竜頭３０を引き出すことにより、ムーブメント１６内の図示せぬ巻真が引き出され、この竜頭３０の回転操作により時刻修正が可能となる。なお、ムーブメント１６が暦表示機構を具備する場合は、例えば竜頭３０が２段引き可能となり、１段引きの位置で時刻修正が可能となり、２段引きの位置で暦修正が可能に構成される。また、このムーブメント１６は、各種操作を行うための操作子３１が設けられている。
【００１３】
上記時計ケース１３は、図２に示すように、ケース内の内周壁４０から内周側に突出し、その周方向に延在する延在部（ダイヤルリング支持部）４１を一体的に備え、この延在部４１を挟んで、時計表側にダイヤルリング１５と、このダイヤルリング１５の縁部上方を覆う縁部隠しリング４２と、透明カバー１７とが配置され、時計裏側に文字板１４とムーブメント１６とが重ねて配置される構造となっている。
上記延在部４１の内径は、ダイヤルリング１５及び文字板１４の外径より小さい径に形成され、この延在部４１より時計表側の内周壁４０の内径は、ダイヤルリング１５の外径より大きい径に形成されている。
【００１４】
上記縁部隠しリング４２は、図２に示すように、その外径が、延在部４１の時計表側の内径と略同径の断面Ｌ字状に形成され、Ｌ字先端部４２Ａの内径が、ダイヤルリング１５の外径より小さく、かつ、Ｌ字先端部４２Ａを除く部分の内径が、ダイヤルリング１５の外径より大きく形成されている。
これによって、図２に示すように、時計ケース１３に、ダイヤルリング１５と縁部隠しリング４２とを配置した状態では、ダイヤルリング１５と縁部隠しリング４２との間に間隙αが形成され、ダイヤルリング１５がその周方向に回転自在となっている。また、この間隙αは、図２に示すように、縁部隠しリング４２によってその上方が覆われるので、透明カバー１７側からはこの間隙αが視認されず、かつ、ダイヤルリング１５の時計表側への移動が規制されるようになっている。
【００１５】
図３（Ａ）（Ｂ）は、ダイヤルリング１５の斜視図である。ダイヤルリング１５は、真鍮、ステンレス等の金属材から形成され、その内周側の面１５Ａが傾斜面に形成され、この傾斜面１５Ａが、透明カバー１７側から見て、文字板１４の縁部に重なるように配置され、すなわち、ダイヤルリング１５は、文字板外縁を装飾する装飾体として機能する。
また、このダイヤルリング１５の外周面１５Ｂは、図２に示すように、ダイヤルリング１５の上方（時計表側）から下方（時計裏側）に行くに従って徐々に内周側に傾斜する傾斜面に形成され、これによって、図２に示すように、この外周面１５Ｂと縁部隠しリング４２との間の間隙αが下方に行くほど広くなっている。
【００１６】
また、ダイヤルリング１５の裏面１５Ｃには、時計ケース１３の延在部４１に係合する係合段部１５Ｄが形成され、また、この係合段部１５Ｄを除く領域には、周方向に間隔を空けて複数の突起（係合部）１５Ｅが一体的に形成されている。より具体的には、この突起１５Ｅは、ダイヤルリング１５の２時、６時、１０時位置に設けられ、つまり、等角度間隔で設けられている。
また、文字板１４には、図４に示すように、ダイヤルリング１５の上記複数の突起１５Ｅが係合する複数の係合孔１４Ｃが形成されている。これによって、ダイヤルリング１５の突起１５Ｅを、文字板１４の係合孔１４Ｃに係合させることにより、ダイヤルリング１５と文字板１４とが正確に位置合わせされる。
【００１７】
次に、この腕時計１０の組立工程を説明する。
まず、時計ケース１３単体に、時計表側からダイヤルリング１５を挿入し、次に、縁部目隠しリング４２を挿入する。続いて、時計裏側から時計ケース１３内に文字板１４を挿入する。このとき、文字板１４の係合孔１４Ｃに、ダイヤルリング１５の突起１５Ｅを係合させることによって、文字板１４とダイヤルリング１５とが容易に位置合わせされる。
【００１８】
次に、ムーブメント１６を時計ケース１３の裏側から挿入し、このムーブメント１６を圧入リング１６Ａを介して時計ケース１３に圧入固定する。このとき、ムーブメント１６を、その針取付体２０〜２３が、文字板１４の中央の貫通孔１４Ａを貫通し、かつ、その針取付体２０Ａ、２１Ａが、文字板１４の貫通孔１４Ｂを貫通するように挿入することによって、ムーブメント１６と文字板１４とが位置合わせされ、これによって、ムーブメント１６、文字板１４及びダイヤルリング１５が自動的に位置合わせされる。
また、この場合、ムーブメント１６は、その巻真に時計ケースの３時位置から竜頭３０を連結できるように、その周方向の位置を合わせながら時計ケース１３に圧入固定される。この際、ムーブメント１６の針取付体２０〜２３、２０Ａ、２１Ａが文字板１４の貫通孔１４Ａ、１４Ｂに挿入している状態であれば、ムーブメント１６と共に、文字板１４及びダイヤルリング１５が一体的に回転するので、ムーブメント１６を適正位置に固定すれば、文字板１４及びダイヤルリング１５も適正位置に固定される。
このように、ダイヤルリング１５、文字板１４、ムーブメント１６を順に時計ケース１３に組み込んでいけば、これらが一体的に連結され、ムーブメント１６を固定した時点で、これらが適正位置に固定されるようになっている。
【００１９】
ムーブメント１６を組み込んだ後は、ムーブメント１６の針取付体２０〜２３、２０Ａ、２１Ａに、時刻表示針２３〜２７を取り付け、その後、透明カバー１７を、圧入リング１７Ａを介して時計ケース１３に圧入固定する。この透明カバー１７の圧入の際に、図２に示すように透明カバー１７が縁部隠しリング４２に当接して、この縁部隠しリング４２が、その下面が延在部４１に当接する位置まで押し込まれ、これに伴い、ダイヤルリング１５と、文字板１４と、ムーブメント１６とが隙間なく密着される。これによって、ダイヤルリング１５及び文字板１４の上下方向のガタはほぼ零となり、これら部品が、がたつきなく時計ケース１３に固定される。
【００２０】
以上説明したように、本構成では、ダイヤルリング１５が時計ケース１３に遊嵌され、この遊嵌状態を維持しつつ、ダイヤルリング１５に文字板１４が係合されるので、ダイヤルリング１５と文字板１４とを容易に位置合わせできる。しかも、これらを位置合わせした状態で、周方向に回転することができるため、このダイヤルリング１５と文字板１４とを位置合わせした状態で、時計ケース１３の所望の位置に回転させることができる。
また、本構成では、このダイヤルリング１５と、時計ケース１３の内周壁４０との間の間隙に、ダイヤルリング１５の縁部上方を覆う縁部隠しリング４２を備えるので、ダイヤルリング１５を時計ケース１３に遊嵌しても、ダイヤルリング外周の間隙が時計表側から視認されず、腕時計１０の外観を損ねることがない。
【００２１】
しかも、文字板１４は、その貫通孔１４Ａ、１４Ｂにムーブメント１６の針取付体２０〜２３、２０Ａ、２１Ａを貫通することで、ムーブメント１６と位置合わせされるので、この貫通によって、ムーブメント１６と、文字板１４と、ダイヤルリング１５とが自動的に位置合わせされる。これによって、ムーブメント１６を適正位置に固定するだけで、文字板１４及びダイヤルリング１５が適正位置に位置決めされ、これらを容易に適正位置に配置できる。
従って、本構成では、ダイヤルリングを圧入固定する従来のものに比して、ダイヤルリング１５を文字板１４に容易に位置合わせすることができ、かつ、ダイヤルリング１５と時計ケース１３との位置合わせを行う必要がないので、腕時計１０の組立作業を容易に行うことが可能となる。
【００２２】
上述した実施形態は、あくまで本発明の一態様に過ぎず、本発明の範囲内で任意に変形が可能である。例えば、上述の実施形態では、ダイヤルリング１５の外周に縁部隠しリング４２を配置する場合について述べたが、図５に一例を示すように、縁部隠しリング４２を省略してもよい。この場合、同図に示すように、ダイヤルリング１５を、透明カバー１７によって延在部４１側に押さえる構成にすることが好ましい。また、図５に示すように、ダイヤルリング１５に外周に沿って延在する溝１５Ｆを設け、この溝１５Ｆにパッキン５０を配置してもよい。パッキン５０を配置することにより、時計ケース１３に遊嵌されるダイヤルリング１５の中心を、時計ケース１３の中心に容易に位置合わせることが可能となる。
また、上述の実施形態では、腕時計に本発明を適用する場合を例示したが、置時計や壁掛時計等の他の時計に適用してもよい。
【図面の簡単な説明】
【００２３】
【図１】本発明の一実施形態に係る腕時計の外観を示す図である。
【図２】図１に示す腕時計のII−II断面図である。
【図３】Ａはダイヤルリングを斜め上方から見た斜視図であり、Ｂは斜め下方から見た斜視図である。
【図４】文字板の平面図である。
【図５】変形例に係る腕時計の断面図である。
【符号の説明】
【００２４】
１０…腕時計、１１…装置本体、１２…時計バンド、１３…時計ケース、１４…文字板、１４Ｃ…係合孔、１５…ダイヤルリング、１５Ｅ…突起（係合部）、１６…ムーブメント、１７…透明カバー、１７Ａ、４５…圧入リング、１８…裏蓋、１９、５０…パッキン、３０…竜頭、４１…延在部（ダイヤルリング支持部）、４２…縁部隠しリング
【図１】
2006275562.tif 000003
【図２】
2006275562.tif 000004
【図３】
2006275562.tif 000005
【図４】
2006275562.tif 000006
【図５】
2006275562.tif 000007